(57)【要約】【課題】本発明は使い勝手のよい焦げ目付け皿を使用する高周波加熱装置に関するものである。【解決手段】焦げ目付け皿１に関する情報、焦げ目付け皿１の予熱が完了するまでの時間を表示手段１０に表示することで、使い勝手のよい高周波加熱装置を提供することができる。【選択図】  図１
2005030653.tif 000002
【特許請求の範囲】
【請求項１】
被加熱物が収納可能な加熱室と、前記加熱室に高周波出力を供給する高周波発生手段と、前記加熱室へ電熱出力するヒータと、前記高周波発生手段と前記ヒータの加熱制御等の選択を行う入力手段と、前記入力手段により決定された状態等を表示する表示手段と、前記高周波発生手段と前記ヒータを制御する制御手段と、前記被加熱物の底面に焦げ目をつける焦げ目付け皿とを備え、前記焦げ目付け皿を予熱する時間を、前記表示手段に表示する高周波加熱装置。
【請求項２】
表示手段は、予熱中に予熱完了するまでの残り時間を数字表示して、１秒単位で減算し前記残り時間が無くなると予熱完了する構成とした請求項１記載の高周波加熱装置。
【請求項３】
焦げ目付け皿を使用するときには、前記表示手段に表示させる構成とした請求項１記載の高周波加熱装置。
【請求項４】
表示手段は、前記焦げ目付け皿の予熱中の表示をする構成とした請求項１記載の高周波加熱装置。
【請求項５】
焦げ目付け皿の予熱完了時に、前記表示手段、報知音により予熱完了報知手段を設けてなる請求項１に記載の高周波加熱装置。
【請求項６】
入力手段は、焦げ目付け皿の予熱するキーと、予熱完了後の加熱種類を選択するキーを別々のキーにする構成とした請求項１記載の高周波加熱装置。
【請求項７】
加熱種類を選択するキーは、予熱完了後しか受け付けない構成とした請求項１または６に記載の高周波加熱装置。
【発明の詳細な説明】
【０００１】
【発明の属する技術分野】
本発明は、焦げ目付け皿を使用して加熱する高周波加熱装置の予熱時間表示に関するものである。
【０００２】
【従来の技術】
従来この種の高周波加熱装置は、加熱室に焦げ目付け皿を配置して、入力手段により被加熱物の種類を選択して加熱を開始すると、焦げ目付け皿の予熱が開始される。焦げ目付け皿の予熱が完了すると、焦げ目付け皿を加熱室から取り出して、被加熱物を焦げ目付け皿に載せて加熱室に戻し加熱を開始すると被加熱物が加熱される（たとえば、特許文献１参照）。
【０００３】
【特許文献１】
特開平１１−１４１８９１号公報
【０００４】
【発明が解決しようとする課題】
しかしながら従来の高周波加熱装置では、焦げ目付け皿の予熱の進行度合いは、使用者には分かる手段がないために、予熱が完了するまで、高周波加熱装置から離れることができなく、利便性を損なわれてしまうという課題を有していた。
【０００５】
【課題を解決するための手段】
本発明は上記課題を解決するために、焦げ目付け皿の予熱を開始すると予熱完了する時間を表示手段に表示することで、使用者は、予熱が完了する時間が一目でわかり、焦げ目付け皿の予熱が必要な加熱において、使い勝手のよい高周波加熱装置を提供することができる。
【０００６】
【発明の実施の形態】
請求項１に記載の発明は、被加熱物が収納可能な加熱室と、前記加熱室に高周波出力を供給する高周波発生手段と、前記加熱室へ電熱出力するヒータと、前記高周波発生手段と前記ヒータの加熱制御等の選択を行う入力手段と、前記入力手段により決定された状態等を表示する表示手段と、前記高周波発生手段と前記ヒータを制御する制御手段と、前記被加熱物の底面に焦げ目をつける焦げ目付け皿からなり、前記焦げ目付け皿を予熱する時間を、前記表示手段に表示する構成としているため、使用者は焦げ目付け皿の予熱が完了する時間が一目でわかることができる。
【０００７】
請求項２に記載の発明は、特に、請求項１に記載の高周波加熱装置の前記表示手段は、予熱中に予熱完了するまでの残り時間を数字表示して、１秒単位で減算し前記残り時間が無くなると予熱完了する構成としているため、使用者は焦げ目付け皿の予熱が完了する時間が、逐次知ることができる。
【０００８】
請求項３に記載の発明は、特に、請求項１に記載の高周波加熱装置の前記焦げ目付け皿を使用するときには、前記表示手段に表示させる構成としているため、使用者は、焦げ目付け皿をどの過程で必要なのか一目でわかることができる。
【０００９】
請求項４に記載の発明は、特に、請求項１に記載の高周波加熱装置の前記表示手段は、前記焦げ目付け皿の予熱中の表示をする構成としているため、使用者は予熱が完了してないか一目でわかることができる。
【００１０】
請求項５に記載の発明は、特に、請求項１に記載の高周波加熱装置の前記焦げ目付け皿の予熱完了時に、前記表示手段、報知音により予熱完了報知手段を設けてなる構成といているため、使用者は高周波加熱装置から離れていても、予熱が完了したことが知ることができる。
【００１１】
請求項６に記載の発明は、特に、請求項１に記載の高周波加熱装置の前記入力手段は、焦げ目付け皿の予熱するキーと、予熱完了後の加熱種類を選択するキーを別々のキーにする構成としているため、１機能１キーの構成にできるので操作がわかりやすくなり、使用者の使い勝手を向上することができる。
【００１２】
請求項７に記載の発明は、特に、請求項１または６に記載の高周波加熱装置の前記加熱種類を選択するキーは、予熱完了後しか受け付けない構成としているため、使用者の誤操作による加熱ミスを防ぐことができる。
【００１３】
【実施例】
以下、本発明の実施例について図面を用いて説明する。
【００１４】
図１は本発明の実施例１を示す高周波加熱装置の外観構成図である。図１において、食品などの被加熱物、焦げ目付け皿１を収納する加熱室２が配置され、高周波発生装置３は導波管４を介して加熱室２に結合し、給電開口部５から給電され、ヒータ出力を加熱室２に照射するヒータ６からなる構成となっていて、加熱種類、加熱時間、加熱の開始、停止等の入力する入力手段７の情報により制御手段８により高周波発生装置３、ヒータ６の制御および加熱種類、加熱時間を表示手段９に表示する。
【００１５】
次に動作、作用について図２および図３を用いて説明すると、焦げ目付け皿１を使用して加熱する場合、使用者は、入力手段７の「予熱」キーを選択する（Ｓ１）と、表示手段９に「焦げ目付け皿」の表示を０．５秒オン、０．５秒オフで点滅させることにより、使用者に焦げ目付け皿１を加熱室２に収納することを促す（Ｓ２）。なお、「焦げ目付け皿」の表示の点滅周期として、０．５秒オン、０．５秒オフと記載したが、点滅周期は、使用者に注意を促すことができるのならば、点灯のままでも任意の点滅周期でも、柔軟に対応すればよいことは言うまでもない。次に「スタート」キーを押す（Ｓ３）ことで焦げ目付け皿１の予熱加熱が開始される。予熱が開始されるとすぐに表示手段９に予熱中であることを使用者に知らせるために、「予熱中」の表示をする（Ｓ４）。この「予熱中」の表示については、点灯でも点滅でも柔軟に対応すればよいことは言うまでもない。この「予熱中」の表示により、使用者は焦げ目付け皿１が予熱完了したかどうかが分かりやすくなり、焦げ目付け皿１を使用する加熱において、使い勝手のよい高周波加熱装置を提供することができる。焦げ目付け皿１は、高周波発生装置３により予熱加熱する構成とするので、使用者が焦げ目皿１を使用する時は、室温で放置された状態なので、実験で焦げ目付け皿１を予熱するのに必要な時間が算出できるので制御手段８に記憶しておくことができる。すなわち、制御手段８により焦げ目付け皿１を予熱開始したときに、予熱が完了するまでの時間を表示手段９に数字表示することができる（Ｓ５）。予熱完了するまでの時間は、数字表示されて１秒単位でカウントダウンすることで（Ｓ６）、使用者は焦げ目付け皿１の予熱が完了する時間が、逐次、一目でわかることができ、使い勝手のよい高周波加熱装置を提供することができる。１秒毎に焦げ目付け皿１の予熱が完了するまでの残り時間である数字表示が「０秒」になると予熱が完了する（Ｓ７）。予熱が完了すると、表示手段９に「予熱中」の表示を消灯させて、「予熱完了」の表示をさせる（Ｓ８）。この「予熱完了」の表示については、点灯でも点滅でも柔軟に対応すればよいことは言うまでもない。次に、報知音により予熱報知パターンである１秒オン、１１秒オフを１５回繰り返す（Ｓ９）。なお、予熱報知パターンは、使用者が高周波加熱装置から離れていても、予熱が完了したことが知ることができのであれば、報知音の報知する周期、繰り返し報知する回数は、柔軟に対応すればよいことは言うまでもない。これにより、使用者は、高周波加熱装置から離れていても、焦げ目付け皿１の予熱が完了したことが知ることができし、表示手段９を見れば、一目で焦げ目皿１の予熱が完了したかどうかわかる使い勝手のよい高周波加熱装置を提供することができる。
【００１６】
また、図３に示すように、「予熱」キーと加熱種類の「ピザ」キー、「チキンナゲット」キーが別々のキーで構成することで、焦げ目付け皿１を予熱するときは、「予熱」キーを押せばよいことが、すぐにわかる。このキー構成にすることで、１機能１キーになるので、使用者は、焦げ目付け皿１を予熱するときに、どのキーを選択すればよいか悩むことがなくなる。また、「ピザ」キー、「チキンナゲット」キーは、焦げ目付け皿１の予熱が完了した状態で、焦げ目付け皿１の上にピザ、チキンナゲットを載せて加熱しないと、底面が焼けないので、焦げ目付け皿１の予熱完了の状態でしか、「ピザ」キー、「チキンナゲット」キーを受け付けないようにする。また、焦げ目付け皿１の予熱が完了すると、「ピザ」キー、「チキンナゲット」キーの部分にある表示素子１０を点灯もしくは点滅をして、「ピザ」キーもしくは「チキンナゲット」キーの入力がされると、「ピザ」キー、「チキンナゲット」キーの部分にある表示素子１０は消灯するようにすることで、使用者は、焦げ目付け皿１の予熱が完了すれば、次に何の操作をすればよいか一目でわかり使い勝手が向上できる。なお、「ピザ」キー、「チキンナゲット」キーの部分にある表示素子１０のかわり、残り時間等を表示する表示手段９に、次の操作を促すメッセージを出せばよいことは言うまでもない。また、焦げ目付け皿１の予熱が完了していない状態で、「ピザ」キー、「チキンナゲット」キーを入力した場合に、表示手段９に「焦げ目付け皿１の予熱が完了した状態でないと「ピザ」キー、「チキンナゲット」キーを受け付けない」という意図の表示することで、使用者は、なぜキーが受け付けないかがわかり安心感を与えることができる。これにより、使用者は操作性がよく、使用者の誤操作により、底面が焼けないような加熱ミスを防ぐことができる。
【００１７】
また、「ピザ」キー、「チキンナゲット」キーは、焦げ目付け皿１の予熱が完了しないと受け付けない構成にしているので、特殊な操作方法により工場出荷用試験状態にする構成として、工場出荷用試験状態では、「ピザ」キー、「チキンナゲット」キーは焦げ目付け皿１の予熱が完了してなくても、受け付けるようにする。これにより、工場出荷の時に、焦げ目付け皿１の予熱を完了させなくても、「ピザ」キー、「チキンナゲット」キーが正常に動作するか確認できるので、時間が大幅に短縮できる。
【００１８】
【発明の効果】
以上のように、本発明によれば、焦げ目付け皿を予熱する場合、表示手段に焦げ目付け皿の使用の催促、予熱中を表す表示、予熱完了する時間を、表示手段に表示する構成としているため、使用者は、表示手段を見れば、加熱の状況、操作方法がわかり、焦げ目付け皿の予熱が完了する時間が一目でわかるので、使い勝手を向上することができる。
【００１９】
また、予熱完了するまでの残り時間を数字表示して、１秒単位でカウントダウンし、残り時間が無くなると予熱完了する構成としているため、使用者は焦げ目付け皿の予熱が完了する時間が、逐次知ることができるので、高周波加熱装置から離れることができ、使い勝手を向上することができる。
【００２０】
また、焦げ目付け皿の予熱完了時に、表示手段、報知音により予熱完了報知するので、使用者は高周波加熱装置から離れていても、予熱が完了したことが知ることができる。
【００２１】
また、焦げ目付け皿の予熱するキーと、予熱完了後の加熱種類を選択するキーを別々のキーにする構成としているため、１機能１キーできるので操作がわかりやすくなり、使用者の使い勝手を向上することができるし、加熱種類を選択するキーは、予熱完了後しか受け付けないため、使用者の誤操作による被加熱物の底面の焼け不足などの加熱ミスを防ぐことができる。
【図面の簡単な説明】
【図１】本発明の高周波加熱装置の外観構成図
【図２】本発明の高周波加熱装置の制御内容を示すフローチャート
【図３】本発明の高周波加熱装置操作部の外観構成図
【符号の説明】
１  焦げ目付け皿
２  加熱室
３  高周波発生装置
４  導波管
５  給電開口部
６  ヒータ
７  入力手段
８  制御手段
９  表示手段
１０  表示素子
【図１】
2005030653.tif 000003
【図２】
2005030653.tif 000004
【図３】
2005030653.tif 000005